【手続補正書】
【提出日】平成18年3月15日(2006.3.15)
【手続補正１】
【補正対象書類名】特許請求の範囲
【補正対象項目名】全文
【補正方法】変更
【補正の内容】
【特許請求の範囲】
【請求項１】
吸収性衣類の製造において、結合成分を切断し、組立体の両側部に配置された一対の側部パネル上に結合成分を配置するための装置であって、前記一対の側部パネルが機械方向に離間するようになっており、
連続したベルトと、該連続したベルトを円状に動かすようになったローラーと、を備え、前記連続したベルトが該ベルトの上側区域で前記組立体を支持し、該組立体が前記ベルトによって動かされると前記側部パネルを前記上側区域に配置するようになっており、前記上側区域に隣接して真空圧を供給する、前記ベルトの上側区域の下側に配置された真空プレナムを有し、前記ベルトが該ベルトを介し、前記側部パネルへ真空圧を練通するように有孔性になっている、真空コンベアと、
前記コンベアベルトとほぼ対向する関係で取り付けられて、移送ニップを定める２つのホイールを含み、該ホイールが回転軸の周りを回転し、前記各ホイールが、前記結合成分材料のウエブの端部セグメントを受け取るようになったアンビルロールと、
前記ホイールの回転軸線に対し、ほぼ平行な軸線の周りを回転するように取り付けられた切断ロールと、を備え、前記切断ロールは、前記端部セグメントが、第一材料の前記ウエブから材料の前記第一切断片を切断するために前記ホイール上にあるときに、前記第一材料ウエブ端部セグメントと周期的に係合可能であるナイフを含み、
前記ホイールは、切断した前記結合成分を保持し、前記結合成分を各側部パネル上に配置するように前記コンベアベルトの前記上側区域に前記結合成分を搬送するようになっていることを特徴とする装置。
【請求項２】
使い捨てパンツを製造する際に組立体へ結合成分を付与する方法であって、
側部パネル材料のウエブから前記使い捨てパンツ用の側部パネルを切断し、
前記組立体の長さに沿って離間した位置で前記組立体に前記切断側部パネルを取り付け、
取り付けられた前記側部パネルを含む前記組立体を搬送するコンベア上の前記側部パネルの向きと形状を制御し、
前記コンベアに隣接するアンビルロール上で結合成分材料のウエブから結合成分を切断し、
前記アンビルロール上の前記結合成分を前記アンビルロールとコンベアとの間の移送地点にまで搬送し、
前記移送地点において前記結合成分材料を前記アンビルロールから前記コンベアにより制御される前記側部パネルへ移される、
段階からなる方法。
【請求項３】
材料を切断し、切断された材料の第一片を材料の切断した第二片上に配置するための装置であって、
材料の前記第二片を支持するようになった可動支持材を含み、前記第二片が前記可動支持材によって動かされる際に、前記第二片を前記可動支持材上の位置に保持するようになった真空コンベアと、
前記コンベアの前記可動支持材とほぼ対向する関係で取り付けられて移送ニップを定める、ホイールを含み、該ホイールが回転軸の周りを回転し、更に前記第一材料のウエブの端部セグメントを受け取るようになったアンビルロールと、
前記ホイールの回転軸線に対し、ほぼ平行な軸線の周りを回転するように取り付けられた切断ロールと、を備え、前記切断ロールは、前記端部セグメントが、第一材料の前記ウエブから材料の前記第一切断片を切断するために前記ホイール上にあるときに、前記第一材料ウエブ端部セグメントと周期的に係合可能であるナイフを含み、前記ホイールは、切断した前記第一片を保持し、切断した前記第一片を前記第二片上に配置するために、切断した前記第一片を前記真空コンベアの前記可動支持材まで運ぶようになっており、
前記第一材料の前記ウエブを、前記ホイールの速度よりも遅い速度で前記ホイールへ送るためのフィーダと、
を備えることを特徴とする装置。
【請求項４】
前記ホイールは、滑り係合するように前記第一材料の前記ウエブの前記端部セグメントを受け取るようになった、ほぼ円柱状の周面と、前記周面上に形成され、前記端部セグメントを受け取って前記ホイールの軸方向に前記端部セグメントを整列させるようになった溝と、材料の前記断片した第一切を受け取って材料の前記切断した第一片を保持し、材料の切断された前記第一片を、前記真空コンベアの前記可動支持材上の材料の前記第二片に移送するように配置されたランド部とを含むことを特徴とする請求項３に記載の装置。
【請求項５】
前記溝は、前記周面のほぼ周方向にその長さ方向が延びることを特徴とする請求項４に記載の装置。
【請求項６】
前記溝は、ランド部に近接する、少なくとも１つの端部に向かって、次第に深さが減少することを特徴とする請求項５に記載の装置。
【請求項７】
前記溝は、前記溝の両方の端部に向かって、次第に深さが減少することを特徴とする請求項６に記載の装置。
【請求項８】
前記ホイールは、前記移送ニップで前記第一切断片を放出するために構成されていることを特徴とする請求項４に記載の装置。
【請求項９】
前記ホイールは、前記第一材料の前記ウエブの前記端部セグメント及び材料の前記第一切断片を前記ホイール上に保持するために使用される、真空源に結合され、前記移送ニップにおいて前記第一切断片から真空を解放するようになった特徴とする請求項８に記載の装置。
【請求項１０】
材料を切断し、切断された材料の第一片を材料の切断した第二片上に配置するための装置であって、
材料の前記第二片を支持するようになった可動支持材を含み、前記第二片が前記可動支持材によって動かされる際に、前記第二片を前記可動支持材上の位置に保持するようになった真空コンベアと、
前記コンベアの前記可動支持材とほぼ対向する関係で取り付けられて移送ニップを定める、ホイールを含み、該ホイールが回転軸の周りを回転し、更に前記第一材料のウエブの端部セグメントを受け取るようになったアンビルロールと、
前記ホイールの回転軸線に対し、ほぼ平行な軸線の周りを回転するように取り付けられた切断ロールと、を備え、前記切断ロールは、前記端部セグメントが、第一材料の前記ウエブから材料の前記第一切断片を切断するために前記ホイール上にあるときに、前記第一材料ウエブ端部セグメントと周期的に係合可能であるナイフを含み、前記ホイールは、切断した前記第一片を保持し、切断した前記第一片を前記第二片上に配置するために、切断した前記第一片を前記真空コンベアの前記可動支持材まで運ぶようになっており、
接着剤を前記第一材料の前記ウエブに付与して材料の前記第一切断片を材料の前記第二片に取り付けるために使用されるアプリケーターと、
を備えることを特徴とする装置。
【請求項１１】
前記真空コンベアは、ほぼ前記ホイールと対向する反作用表面を含み、前記可動支持材は、前記反作用表面と前記ホイールとの間を延びるようになったことを特徴とする請求項１０に記載の装置。
【請求項１２】
前記真空コンベアは、更に反作用ロールを含み、前記反作用表面は前記反作用ロールの表面により構成されることを特徴とする請求項１１に記載の装置。
【請求項１３】
前記反作用表面は、前記可動支持材を、前記ホイールから、材料の第一片及び第二片を含む移送ニップで受け取られる材料の組立体の圧縮されていない厚さの合計より小さい距離内に保持する、ことを特徴とする請求項１１に記載の装置。
【請求項１４】
材料の前記第二片を第二材料のウエブから切断し、前記真空コンベア上に前記第二片を配置するための、切断及び配置装置を更に含むことを特徴とする請求項１０に記載の装置。
【請求項１５】
前記ホイールは、前記移送ニップで前記第一切断片を放出するように構成されていることを特徴とする請求項１０に記載の装置。
【請求項１６】
前記ホイールは、前記ホイール上に前記第一材料の前記ウエブの前記端部セグメント及び材料の前記第一切断片を保持するのに使用するために、真空源に接続されるようになっており、前記ホイールは、前記移送ニップにおいて前記第一切断片から真空を解放するようになったことを特徴とする請求項１５に記載の装置。
【請求項１７】
前記可動支持材は、材料の前記第二片が支持される上側部分をもった連続コンベアベルトを含むことを特徴とする請求項１０に記載の装置。
【請求項１８】
材料を切断し、切断された材料の第一片を材料の切断した第二片上に配置するための装置であって、
材料の前記第二片を支持するようになった可動支持材を含み、前記第二片が前記可動支持材によって動かされる際に、前記第二片を前記可動支持材上の位置に保持するようになった真空コンベアと、
前記コンベアの前記可動支持材とほぼ対向する関係で取り付けられて移送ニップを定める、ホイールを含み、該ホイールが回転軸の周りを回転し、更に前記第一材料のウエブの端部セグメントを受け取るようになったアンビルロールと、
前記ホイールの回転軸線に対し、ほぼ平行な軸線の周りを回転するように取り付けられた切断ロールと、を備え、前記切断ロールは、前記端部セグメントが、第一材料の前記ウエブから材料の前記第一切断片を切断するために前記ホイール上にあるときに、前記第一材料ウエブ端部セグメントと周期的に係合可能であるナイフを含み、前記ホイールは、切断した前記第一片を保持し、切断した前記第一片を前記第二片上に配置するために、切断した前記第一片を前記真空コンベアの前記可動支持材まで運ぶようになっており、
前記真空コンベアの前記可動支持材とほぼ対向する関係で取り付けられて第二移送ニップを定めるようになっている第二のホイールと、を備え、前記第二のホイールは、回転軸線の周りに回転自在であり、第三材料のウエブの端部セグメントを受け取り、前記可動支持材上で第三の切断された片を第四の材料片に付与するようになっていることを特徴とする装置。
【請求項１９】
前記第二アンビルは、前記端部セグメントが前記第二ホイール上にあるとき、ナイフが前記第三材料ウエブ端部セグメントと周期的に係合して材料の第三切断片の１つを第三材料のウエブから切断するように、切断ロールに対して位置されたことを特徴とする請求項１８に記載の装置。
【請求項２０】
連続工程で材料を切断し、材料の第二片上に材料の第一切断片を配置する方法であって、
第二材料ウエブから前記第二片を切断し、
コンベア上に前記第二片を位置させ、
前記コンベア上の決められた位置に前記第二片を拘束し、
アンビルロールを第一速度で回転させ、
前記第一速度より遅い第二速度で第一材料の前記ウエブを給送し、これにより材料の前記ウエブが前記アンビルロール上を滑らされるようにし、
前記アンビルロールと係合している前記第一材料のウエブから前記第一切断片を切断し、前記アンビルロール上の前記第一切断片を、前記コンベアの移送点へ移動させ、
前記第一切断片を前記移送点において前記コンベア上の前記第二片に移送することを特徴とする方法。
【請求項２１】
前記アンビルロールの前記第一回転速度は、前記移送点では前記コンベアの速度とほぼ等しいことを特徴とする請求項２０に記載の方法。
【請求項２２】
前記移送点における前記アンビルロールとコンベアの間隙を、前記移送点で受け取られた前記第一切断片及び前記第二片を含む材料の組立体の圧縮されていない厚さの合計より小さく保持するために、前記アンビルロールに対向する側に前記コンベアを支持する、ことを特徴とする請求項２０に記載の方法。
【請求項２３】
第一材料の前記ウエブから切断される位置から前記移送点まで、前記アンビルロール上に材料の前記第一切断片を拘束することを特徴とする請求項２０に記載の方法。
【請求項２４】
前記第一切断片を拘束することは、前記アンビルロール上で前記第一切断片に真空を付与するものであることを特徴とする請求項２３に記載の方法。
【請求項２５】
前記材料の第一切断片を第一材料の前記ウエブから切断する前に、前記アンビルロールの軸方向に第一材料の前記ウエブの端部セグメントを位置決めすることを特徴とする請求項２０に記載の方法。
【請求項２６】
前記第一材料の前記ウエブの端部セグメントを位置決めすることは、前記アンビルロールの円周に延びる溝に前記端部セグメントを受け取るものであることを特徴とする請求項２５に記載の方法。